(57)【要約】【課題】  電子製版機において、加工あるいは組立精度に起因する画像サイズの非均一性又は非対称性を補正すること。【解決手段】  主走査方向に移動可能なレーザ走査ユニットと、このレーザ走査ユニットに臨んで配置され、マスターシートを副走査方向に同期送りするフィードロールとを備える電子製版機において、レーザ走査ユニットの位置あるいはレーザビームの走査位置に応じて、ドットクロックの周期を変更することによって画像サイズを変更し、画像サイズの非均一性又は非対称性を補正する。【選択図】      図８
2005308986.tif 000002
【特許請求の範囲】
【請求項１】
マスターシート上を第１の方向にレーザで走査するレーザ走査ユニットと、
前記レーザ走査ユニットを前記第１の方向に移動させる第１の移動手段と、
前記レーザ走査ユニットに対向して配置され、前記マスターシートを第２の方向に移動させる第２の移動手段と、
前記レーザ走査ユニットの位置に応じて画像サイズを調整する画像サイズ調整手段と
を備え、
前記画像サイズが均一になるように制御する電子製版機。
【請求項２】
マスターシート上を第１の方向にレーザで走査するレーザ走査ユニットと、
前記レーザ走査ユニットを前記第１の方向に移動させる第１の移動手段と、
前記レーザ走査ユニットに対向して配置され、前記マスターシートを第２の方向に移動させる第２の移動手段と、
前記レーザの走査位置に応じて画像サイズを調整する画像サイズ調整手段と
を備え、
前記画像サイズが左右対称になるように制御する電子製版機。
【請求項３】
マスターシート上を第１の方向にレーザで走査するレーザ走査ユニットと、
前記レーザ走査ユニットを前記第１の方向に移動させる第１の移動手段と、
前記レーザ走査ユニットに対向して配置され、前記マスターシートを第２の方向に移動させる第２の移動手段と、
前記レーザ走査ユニットの位置に応じて画像サイズを調整し、かつ前記レーザの走査位置に応じて画像サイズを調整する画像サイズ調整手段と
を備え、
前記画像サイズが均一かつ左右対称になるように制御する電子製版機。
【請求項４】
前記レーザの走査位置は、少なくともレーザビーム位置検出器の出力信号を用いて決定される請求項２又は３に記載の電子製版機。
【請求項５】
前記第１の移動手段は、前記レーザ走査ユニットが固定される第１の方向に移動可能な可動フレームと、この可動フレームを移動させるための駆動手段とを備える請求項１〜４のいずれか１項に記載の電子製版機。
【請求項６】
前記第２の移動手段は、マスターシートを第２の方向に同期送りするフィードロールである請求項１〜５のいずれか１項に記載の電子製版機。
【請求項７】
前記駆動手段は、形成すべきマージンに応じた位置に可動フレームを移動させる請求項６に記載の電子製版機。
【請求項８】
前記画像サイズ調整手段は、ドットクロックの周期を変更することによって画像サイズを変更する請求項１〜７のいずれか１項に記載の電子製版機。
【請求項９】
前記ドットクロックの周期を変更するために必要な情報を入力する入力手段を備える請求項８に記載の電子製版機。
【発明の詳細な説明】
【技術分野】
【０００１】
本発明は印刷原版を作成する製版機に関し、特に、レーザ走査ユニットを用いてマスターシートの表面に画像形成を行なう電子製版機に関する。
【背景技術】
【０００２】
印刷原版である印刷マスターを製作する製版の技術分野では、レーザ走査ユニットを用いてコンピュータなどから読み出されたデジタル画像をマスターシートの表面に画像形成する電子製版機が公知である。この電子製版機においては、フィードロールを用いてマスターシートを副走査方向に調速状態におき、マスターシートの表面にデジタル画像を形成する。
【０００３】
近年、可動フレームに固定したレーザ走査ユニットを用い、各種のマージンをもつ印刷物に対応するために、形成すべきマージンに応じた位置に可動フレームを移動させる駆動手段と、主走査方向の両端の非画像部に対向した状態で前記可動フレームに固定されかつ発光により前記マスターシートの表面の電荷を除去する一対の発光素子とを備える電子製版機が提案されている（特許文献１参照）。このように、可動フレームに固定したレーザ走査ユニットを用いる電子製版機は、各種の印刷マスターの製版に際して有効である。
【０００４】
【特許文献１】特開２００３−１９５５１４号公報
【発明の開示】
【発明が解決しようとする課題】
【０００５】
ところで、可動フレームに固定したレーザ走査ユニットは、可動フレームの移動により移動可能に構成され、例えば主走査を開始すべき適宜の位置にまで移動し、フィードロール上のマスターシートの露光面に対してレーザビームの走査を行なうものである。したがって、可動フレームあるいはレーザ走査ユニットとフィードロール（露光面）とが、レーザビームの主走査方向に平行にならずに傾いていると、露光面でのレーザビームの大きさすなわち描画される画像のサイズが場所によって異なり、また走査範囲が非対称になる。例えば両面印刷では、表用の版と裏用の版とでは、印字位置は左右対称となり、したがって、表用の版の左マージンと裏用の版の右マージンとを一致させなければならない。レーザユニットを移動可能にした製版機においては、レーザユニットを移動することにより、表用の版として左マージンを形成する、あるいは裏用の版として右マージンを形成することができるが、レーザユニットの走査位置で画像サイズに非対称性があれば、表と裏の画像サイズが異なってしまい、表用の版と裏用の版とで画像がずれることになる。このような可動フレームあるいはレーザ走査ユニットの傾きは、機構部品の加工精度や組立精度に起因して起こるものであるが、加工精度や組立精度を上げることによって対処するには限界があった。
【０００６】
本発明は、このような問題に鑑み、画像サイズ調整手段を備え、レーザ走査ユニットを固定した可動フレームの位置に応じて画像サイズを調整可能とする、あるいはレーザ走査ユニットの傾きに応じて画像サイズを調整可能とする電子製版機を提供することを目的とする。
【課題を解決するための手段】
【０００７】
本発明は、上記課題を解決するために、マスターシート上を第１の方向に走査するレーザ走査ユニットと、前記レーザ走査ユニットを前記第１の方向に移動させる第１の移動手段と、前記レーザ走査ユニットに対向して配置され、前記マスターシートを第２の方向に移動させる第２の移動手段と、前記レーザ走査ユニットの位置に応じて画像サイズを調整する画像サイズ調整手段とを備え、前記画像サイズを均一に制御する電子製版機を提供する。
【０００８】
また、本発明は、マスターシート上を第１の方向に走査するレーザ走査ユニットと、前記レーザ走査ユニットを前記第１の方向に移動させる第１の移動手段と、前記レーザ走査ユニットに対向して配置され、前記マスターシートを第２の方向に移動させる第２の移動手段と、前記レーザ走査位置に応じて画像サイズを調整する画像サイズ調整手段とを備え、前記画像サイズを左右対称に制御する電子製版機を提供する。
【０００９】
さらに、本発明は、マスターシート上を第１の方向に走査するレーザ走査ユニットと、前記レーザ走査ユニットを前記第１の方向に移動させる第１の移動手段と、前記レーザ走査ユニットに対向して配置され、前記マスターシートを第２の方向に移動させる第２の移動手段と、前記前記レーザ走査ユニットの位置に応じて画像サイズを調整し、かつレーザ走査位置に応じて画像サイズを調整する画像サイズ調整手段とを備え、前記画像サイズを均一かつ左右対称に制御する電子製版機を提供する。
【００１０】
前記レーザの走査位置は、少なくともレーザビーム位置検出器の出力信号を用いて決定されることができる。
また、前記第１の移動手段は、前記レーザ走査ユニットが固定される第１の方向に移動可能な可動フレームと、この可動フレームを移動させるための駆動手段とを備えるようにしてもよく、前記第２の移動手段は、マスターシートを第２の方向に同期送りするフィードロールとすることができる。
【００１１】
さらに、前記駆動手段は、形成すべきマージンに応じた位置に可動フレームを移動させることもできる。
さらに、前記画像サイズ調整手段は、ドットクロックの周期を変更することによって画像サイズを変更するようにしてもよく、前記ドットクロックの周期を変更するために必要な情報を入力する入力手段を備えることもできる。
【発明の効果】
【００１２】
本発明は、上記のように構成したから、レーザ走査ユニットの加工精度や組立精度に起因して起こる画像サイズの不均一性あるいは非対称性を補正することができる。さらに、本発明によれば、露光面上の画像サイズを調整して補正するので、画像サイズの不均一性あるいは非対称性がどのような原因で起ころうとも、画像サイズを均一あるいは対称に補正できる。
【発明を実施するための最良の形態】
【００１３】
本発明の実施の形態を説明する前に、本発明の作用効果を明らかにするために、本発明を実施する前提となる製版装置の一例を説明し、本発明の課題となった現象について具体的に説明する。
【００１４】
図１は、デジタル画像またはアナログ画像（原稿画像）を処理できるデジタル製版機の概略断面である。外部光を遮光できる機体１０の右下部にはそれぞれサイズの異なったマスターシートロールを装架できる第１給紙部１及び第２給紙部２が内蔵される。これらの第１給紙部１及び第２給紙部２はそれぞれ、マスターシートロールを取付けられる着脱自在な装架ドラム１ａ、２ａ、マスターシートの先端を引き出す繰出ローラ１ｂ、２ｂ、給紙ローラ１ｃ、２ｃを備え、またそれらの間にマスターシートを指定された長さに切断するカッター（図示せず）を備える。図１の紙面と直角である主走査方向に走査するレーザ走査ユニット５が、機体１０上部のフィードロール４に対向して配置されている。レーザ走査ユニットには、外部のコンピュータ（図示せず）などの画像編集装置からのデジタル画像が入力する。
【００１５】
第１給紙部１あるいは第２給紙部２から引き出されたマスターシートは、カッターで切断され、第１給紙部１の上部にあるマスターシートに荷電を行なう荷電部３に送られる。荷電部３を通ったマスターシートは、副走査速度で調速駆動されるフィードロール４に供給される。フィードロール４に送られたマスターシートの表面には、レーザ走査ユニット５からのレーザビームが走査され、マスターシートの感光面に原稿画像が潜像化される。潜像化されたマスターシートは、機体１０の略中央部に略垂直向きに配置した露光台６に供給され、露光台６から機体１０の左下部にある現像部８ａに引き渡される。
【００１６】
なお、露光台６は、原稿台９におかれた原稿画像を露光（アナログ入力）するためにも使用される。すなわち、原稿画像は、機体１０の左上部に設けられた原稿台カバー９ａを開けて原稿台９にセットされ、露光光学系７を用いて露光台６の表面に配置されたマスターシートに投影される。ここで、露光光学系７は、原稿がセットされる原稿台９を照明する照明ランプ７ａ、原稿画像を露光台６の表面に結像する投影レンズ７ｂ、反射ミラー７ｃとから構成される。
【００１７】
現像部８ａはマスターシートが通過する現像パレット上に現像液を噴出して湿式現像を行なう。現像されたマスターシートは現像部８ａの出口側に隣り合わされた定着部８ｂで加熱乾燥されてトナー画像を定着し、機体１０の左側下部から排出される。
【００１８】
レーザ走査ユニット５は、フィードロール４の上方に水平面内に位置した状態で機体１０に固定される矩形状の固定枠を有し、固定枠の内面にはフィードロール４の長さ方向に対して平行な方向に延長する一対のスライドレールが固定され、これらのスライドレールの間にはレーザ走査ユニットを保持する枠状可動フレームが支持されている。レーザ走査ユニット５を固定した枠状可動フレームは、スライドレールに平行な送りねじによって、レーザの主走査方向に移動できる。
【００１９】
一方、可動フレームの下部には主走査方向と平行な方向に、所定の間隔を保って対向した一対の取付板が固定され、これらの取付板には主走査方向に整列した多数のＬＥＤなどの発光素子が取付けられている。これらの発光素子の発光によりマスターシートの表面の不必要な部分の電荷を除去して、各種マージンを設定できる。例えば、発光素子を発光させて、フィードロールの同期した回転によりマスターシートを副走査方向に移動すると、これらの発光素子はレーザの主走査幅に等しい間隔を保って対向しているので、走査画面の左右余白部分の電荷が光照射で除去される。
【００２０】
図２に、レーザ走査ユニットの模式図を示す。レーザ走査ユニット５は、レーザ光源Ｓと、多面体ミラーＭと、露光面Ｅでの走査速度を一定にするためのｆθ特性レンズＬとを備える。レーザ光源Ｍからのレーザビームは、多面体ミラーＭの回転に従って走査され、ｆθレンズＬにより波面が整形されて露光面Ｅへと導かれる。図３（ａ）は、レーザ走査ユニット５とフィードロール（露光面）４を横から見た概念図であり、前述のように、マスターシートは、フィードロール４に送られ、レーザビームにより主走査され、フィードロール４の回転により副走査されて、画像が露光される。これを図３（ａ）の矢印方向から見ると、図３（ｂ）のように、レーザビームの走査は、１点から順次放射状に照射されていることがわかる。なお、破線の矢印は、レーザの走査方向を示す。
【００２１】
図４〜７は、レーザ走査ユニット５と、レーザ走査ユニット支持する可動フレーム３０及び固定フレーム（又は機体）３５と、フィードロール４との位置関係を説明し、画像サイズの不均一性と非対称性を生じるビーム走査を説明するための図である。
【００２２】
図４、５では、レーザ走査ユニット５を左右に移動させた場合を模式的に示す。左方に位置する場合をレーザ走査ユニット５ａとして示し、右方に移動した場合をレーザ走査ユニット５ｂとして示す。図４のように、可動フレーム３０及び固定フレーム３５が、フィードロール４に平行して取付けられていると、レーザ走査ユニットがどの位置にあっても、レーザの露光面走査は全く同一であり、均一な走査が行なわれる。
【００２３】
しかしながら、図５に示すように、機構的部品の加工精度や組立精度により、可動フレーム３０がフィードロール４に対して傾く場合がある。これは、固定フレーム自体が傾いている場合、あるいは可動フレームが固定フレームに対して傾いている場合など、結果的にフィードロール４に対して可動フレーム３０が傾いている場合をすべて含む。このような場合は、左方のレーザ走査ユニット５ａと右方のレーザ走査ユニット５ｂとでは、フィードロールへの距離が異なってくるので、露光面での走査は両者均一とはならない。レーザ走査ユニット５ｂでは、露光面上の１ドットの大きさは、レーザ走査ユニット５ａの場合より大きくなる。すなわち、レーザ走査ユニット５ｂが描画する画像サイズは、レーザ走査ユニット５ａが描画する画像サイズより大きくなる。また、傾きのために、露光面のビーム走査位置すなわちビーム走査角度によって画像サイズが変化して、同一位置での１ラインの走査においても、画像の左右の大きさが対称ではなくなる。
【００２４】
図６は、レーザ走査ユニットと露光面との距離及びレーザ走査位置（走査角度）の相違により、画像サイズが変化することを説明する図である。図３（ａ）（ｂ）に示したように、ビームが走査する様子は、ビームの出射点、露光面での始点、終点からなる二等辺三角形で概略的に表すことができる。ビームの走査角度は一定であるから、二等辺三角形の頂角は一定である。図４に示した、レーザ走査ユニットが露光面に平行に位置する場合の均一な走査は、ビームの出射点Ｐ１、露光面Ｅでの始点Ｑ１、終点Ｒ１からなる二等辺三角形で表すことができる。しかしながら、可動フレームが傾いていると、ビームの出射点は、例えば点Ｐ２に移動して、露光面Ｅからの距離が異なってくる。また、露光面における走査の始点がＱ１と同じ位置のＱ２としても、終点Ｒ２は、Ｒ１よりも長く走査されることになる。すなわち、ビームの三角形が、出射点Ｐ２、始点Ｑ２、終点Ｒ２からなる不等辺三角形となる。なお、参考のために、仮想的な露光面Ｅ’を考え、始点Ｑ１、終点Ｒ３とすると、三角形Ｐ２Ｑ２Ｒ３は、二等辺三角形となる。この三角形では、画像サイズが大きくなるだけで、左右の非対称はない。
【００２５】
出射点Ｐ２、始点Ｑ２、終点Ｒ２からなる不等辺三角形では、Ｑ２とＲ２の距離は、Ｑ１とＲ１の距離より大きくなり、また、走査ビームの中心と露光面との交点を表す点Ｃ１は、Ｑ１Ｒ１を２等分するが、点Ｐ２から出射する走査ビームの中心と露光面との交点を表す点Ｃ２では、Ｑ２Ｃ２＜Ｃ２Ｒ２となり、左右の画像が非対称となることがわかる。
【００２６】
また、図７に示すように、可動フレーム３０にレーザ走査ユニット５を固定する際にも、前記と同様に加工精度、組立精度によっては、レーザ走査ユニとット５が可動フレームに対して傾くことがある。この場合は、レーザビームの出射点の位置が変化しなくとも、レーザ走査ユニットが露光面に対して傾くので、露光面でのレーザの走査位置に応じて画像サイズが変化し、画像が左右非対称になる。
本発明は、前記のように、画像サイズを補正して画像サイズの均一性及び対称性を確保するものである。
【００２７】
以下、図面を参照して、本発明の実施形態を説明する。
図８は、本発明による画像サイズ制御の一例を示すものである。外部のコンピュータなどの画像編集装置からの画像データが、例えばネットワークを介してＲＩＰ（Raster Image Processor）サーバ５１に取り込まれる。ＲＩＰサーバ５１に取り込まれた画像データは、画像データインタフェース５２を介し必要に応じて信号を変換して、ラッチ回路５３に入力する。ラッチ回路５３を動作させるドットクロックは、分周・同期回路５６により、原クロック発生器５５からの原クロックから生成される。ラッチ回路５３では、ドットクロックが分周・同期回路から入力するたびに、画像データをラッチして１ドットごとの点灯信号として、レーザ光源Ｓの点灯消去を制御する。
【００２８】
一方、多面体ミラーＭは、多面体ミラー回転用スキャナモータ６２により一定のクロックで駆動され回転する。このスキャナモータを駆動するクロックは、スキャナクロック発生器６１により生成される。また、スキャナクロック発生器６１により生成されるクロックは、ビーム位置検出装置８１にも入力する。ビーム位置検出装置８１は、走査されるビームをモニタし、ビームの走査の始点を検出する。ビーム位置検出装置８１からの出力信号は、分周・同期回路５６に与えられ、ビーム走査と同期させるように働く。
【００２９】
このようにして、レーザ光源Ｓから出射するレーザは、多面体ミラーＭで反射し、露光面Ｅに画像を形成する。画像の１ドットごとに点灯信号が得られ、１ドットの大きさは、ドットクロックの周期で決まるから、分周・同期回路５６で生成されるドットクロックの周期を変更すれば、画像信号の点灯周期も変更され画像のサイズを変化させることができる。図９（ａ）、（ｂ）に、ドットクロックの周期と画像サイズの対応を模式的に示す。図（ｂ）のドットクロック２の周期は、図（ａ）のドットクロック１の周期より大きいので、これに応じて斜線で示した１ドットごとの画像サイズが大きくなっている。
【００３０】
ドットクロックの周期の変更をレーザビームの走査中に行なえば、走査位置に応じて１ドットの大きさを変更でき、画像サイズの補正ができる。本実施形態では、あらかじめ計測して求めた画像サイズのデータに基づいて、分周・同期回路５６により原クロックの分周比の設定を変更することにより、ドットクロック周期を変えるようにした。
【００３１】
画像サイズを均一かつ左右対称となるように補正するためには、レーザ走査ユニットの位置あるいは露光面でのレーザビーム位置と画像サイズの関係を知る必要がある。図５のように、レーザ走査ユニット５ａ又は５ｂを固定した可動フレーム３０がフィードロール４に対して傾いているとき、通常傾き自体は変化しないと考えてよいので、レーザ走査ユニットの位置と画像サイズとは、直線的な関係にあると想定できる。
【００３２】
したがって、レーザ走査ユニットを固定した可動フレームがフィードロールに対して傾いている場合のレーザ走査ユニットの位置と画像サイズとの関係は、図８に示すように直線となる。図８は、横軸にレーザ走査ユニット位置ＰＳをとり、縦軸に画像サイズの相対値ＷＲをとったものである。
【００３３】
これを式で表現すると、
ＷＲ＝ａ×ＰＳ＋ｂ  ・・・  （１）
と表せる。すなわち、レーザ走査ユニットと露光面との距離が大きくなると、その距離に比例して画像サイズが大きくなる。ここで、レーザ走査ユニットの２つの位置ＰＳでの画像サイズＷＲを求め、連立方程式を解けば、式（１）のａ，ｂを決定でき、任意のレーザ走査ユニット位置ＰＳにおける画像サイズの相対値ＷＲが求まる。この相対値は、画像サイズを一定に制御するためのデータとなるもので、これを知れば、レーザ走査ユニット位置にかかわらず画像サイズを均一に制御するための補正量を得ることは簡単である。
【００３４】
レーザ走査ユニットの２つの位置ＰＳでの画像サイズＷＲを求めるには、以下のような計測を行なう。まず、補正すべき対象の電子製版機を用いて、テストのための画像を出力する。たとえば、図５に示すレーザ走査ユニット５ａの位置及びレーザ走査ユニット５ｂの位置とで、Ａ３用紙の一辺（２９７．００ｍｍ）の長さの画像を作成する。次に、作成された画像を、人間の手によってあるいは計測装置による自動計測によりその長さを計測する。その結果、レーザ走査ユニット５ａによる画像では、２９７．０１ｍｍとなり、レーザ走査ユニット５ｂによる画像では、２９７，０５ｍｍとなったとする。このように２点での画像サイズが異なると、可動フレーム３０はフィードロール４に対して傾いていることがわかり、式（１）からこの電子製版機におけるのレーザ走査ユニットの位置と画像サイズとの量的関係を示すデータが得られる。
【００３５】
また、図７に示すように、レーザ走査ユニットが可動フレームに傾いて固定された場合については、レーザビームの露光面での走査位置に応じて画像サイズが変化するが、この変化も、同様にビーム走査の始点から一定の傾きで直線的に変化するとしてよい。この傾きによる画像サイズの変化を見るには、まず、レーザ走査ユニットを固定した可動フレームを固定フレームの中央に移動して、先の例と同様のテストチャート画像を出力する。次いで、左半分と右半分とを計測し、計測値が一致すれば傾きはなく、計測値が異なっていれば傾いていることがわかる。異なる計測値は、走査の始点と終点との画像サイズの相違を表しているとみて、走査位置と画像サイズとの関係を知るデータが得られる。
【００３６】
図８に戻って、これらのデータに基づく画像サイズの補正を説明する。このようにして得られたデータ、あるいはこのデータに基づいて得られた画像サイズの補正値は、人手によりあるいは計測装置（図示せず）から直接に入力部７１（図８）を介して、ＣＰＵ７３に入力される。ＣＰＵ７３は、画像の均一性と対称性を確保するように、原クロックの分周比の設定を変更する信号を生成して分周・同期回路５６に入力する。
【００３７】
分周・同期回路５６は、この信号に基づいてレーザ走査ユニットの位置に対応し、あるいはレーザの走査位置に対応して、原クロックの分周比の設定を変更し、画像を均一にまたは対称になるように補正する。ここで、レーザの走査位置に対応して、原クロックの分周比の設定を変更するには、レーザビーム位置検出器８１の出力信号とスキャナモータクロック発生器６１からビームの走査タイミングを特定し、走査位置に応じたサイズ補正を行なうようにすればよい。このようにして、可動フレームの傾きあるいはレーザ走査ユニットの傾きに起因する画像サイズの非均一性又は非対称性が補正され、均一で対称な画像を印刷することができる。
【００３８】
なお、説明の便宜上、可動フレームすなわちレーザ走査ユニットを左右の２点に移動して行なう計測を、先に説明したが、実際には、まず、レーザ走査ユニットを固定した可動フレームを中央に移動して走査を行なって、左右の対称性を確認するための計測を行い、その後にレーザ走査ユニットを固定した可動フレームを左右の２箇所に移動して、画像の均一性を確認するための計測を行なうほうがよい。
【００３９】
また、レーザ走査ユニットの位置又はレーザ走査角度に応じて、原クロックの分周比の設定を変更する場合、１ドットごとに変更する必要はなく、またその変更の大きさも電子製版機ごとに適宜設定できる。
【図面の簡単な説明】
【００４０】
【図１】本発明を適用可能なデジタル製版機の一例を示す概略図である。
【図２】本発明の一実施形態であるレーザ走査ユニットを示す概念図である。
【図３】フィードロールに対するレーザ走査ユニットから走査されるレーザビームを説明する図である。
【図４】レーザ走査ユニットを固定した可動フレームとフィードロールとの位置関係（その１）を説明する図である。
【図５】レーザ走査ユニットを固定した可動フレームとフィードロールとの位置関係（その２）を説明する図である。
【図６】図５のレーザ走査ユニットの走査により非均一性と非対称性が現れることを説明する図である。
【図７】レーザ走査ユニットの可動フレームに対する位置関係を説明する図である。
【図８】本発明の一実施形態による画像サイズ制御システムを示す図である。
【図９】（ａ）、（ｂ）は、それぞれドットクロックの周期と画像サイズの対応を示す図である。
【図１０】レーザ走査ユニットの位置と画像サイズとの関係を示す図である。
【符号の説明】
【００４１】
１…第１給紙部
２…第２給紙部
３…荷電部
４…フィードロール
５…レーザ走査ユニット
６…露光台
７…露光光学系
８ａ…現像部
８ｂ…定着部
９…原稿台
１０…電子製版機の機体
３０…可動フレーム
３５…固定フレーム
【図１】
2005308986.tif 000003
【図２】
2005308986.tif 000004
【図３】
2005308986.tif 000005
【図４】
2005308986.tif 000006
【図５】
2005308986.tif 000007
【図６】
2005308986.tif 000008
【図７】
2005308986.tif 000009
【図８】
2005308986.tif 000010
【図９】
2005308986.tif 000011
【図１０】
2005308986.tif 000012